(57)【要約】【課題】漏れ防止に効果的であり、型くずれしにくく、かつ、吸水性能が充分に発揮される吸収体を備えた使い捨て吸収性物品を提供する。【解決手段】使い捨て吸収性物品に用いられる体液を吸収するための吸収用積層体であって、この吸収用積層体は、１０質量％以下の高吸水性樹脂粉末を含む繊維集合体から構成された上層吸収体と、２０質量％以上の高吸水性樹脂粉末を含む繊維集合体から構成された下層吸収体とを有し、上層吸収体には、上層吸収体の長手方向に連続的または不連続的に伸びる開口部が少なくとも１つ配設されている。また、この吸収用積層体を備えた使い捨て吸収性物品も本発明に包含される。【選択図】図１
2007202576.tif 000002
【特許請求の範囲】
【請求項１】
使い捨て吸収性物品に用いられる体液を吸収するための吸収用積層体であって、
この吸収用積層体は、１０質量％以下の高吸水性樹脂粉末を含む繊維集合体から構成された上層吸収体と、２０質量％以上の高吸水性樹脂粉末を含む繊維集合体から構成された下層吸収体とを有し、
上層吸収体には、上層吸収体の長手方向に連続的または不連続的に伸びる開口部が少なくとも１つ配設されていることを特徴とする吸収用積層体。
【請求項２】
上記上層吸収体を構成する繊維集合体は高吸水性樹脂粉末を含まないものである請求項１に記載の吸収用積層体。
【請求項３】
上層吸収体の開口部の最大幅Ｗ１が上層吸収体の最小幅Ｗ２の６０％以下である請求項１または２に記載の吸収用積層体。
【請求項４】
上記開口部は２個以上あり、上層吸収体の長手方向に沿った中心線に対し略左右対称に配設されていて、中心線上には繊維集合体が存在している請求項１〜３のいずれかに記載の吸収用積層体。
【請求項５】
上記開口部は、いずれか一方の幅方向に沿った端縁側に偏って配設されている請求項１〜４のいずれかに記載の吸収用積層体。
【請求項６】
上記上層吸収体と下層吸収体との間の少なくとも開口部の下側には、白色以外に着色された液透過性中間シートが配設されている請求項１〜５のいずれかに記載の吸収用積層体。
【請求項７】
請求項１〜６のいずれかに記載の吸収用積層体を備えた使い捨て吸収性物品。
【発明の詳細な説明】
【技術分野】
【０００１】
本発明は、型くずれを起こしにくく、かつ、尿漏れ防止効果の高い吸収用積層体、並びにこの吸収用積層体を備えた使い捨ておむつや使い捨てパンツ等の使い捨て吸収性物品に関するものである。
【背景技術】
【０００２】
使い捨ておむつや使い捨てパンツに用いられる吸収体は、通常、パルプ繊維（綿状粉砕パルプ）、熱融着性繊維、高吸水性樹脂粉末等を、各貯留槽から空気搬送して混合し、目的の吸収体形状と略同形状の凹部（吸引領域）が設けられている吸引ドラム周面に吸引堆積することにより形成されている。吸引ドラムに吸引堆積された吸収体は、搬送用吸引コンベアに移されて、使い捨て吸収性物品の製造ラインに組み込まれる。
【０００３】
ここで、吸収体を２層構造とする場合は、吸引ドラムを２個直列に配置して同期制御して、上流の吸引ドラムから吸引コンベア上に移された下層吸収体の上に、下流の吸引ドラムで形成した上層吸収体を裁置する方法が採用される。
【０００４】
従来の２層構造の吸収体は、尿等の吸収量を増やすため、あるいは女性の股下部への密着性を高めるため、下層吸収体よりも小面積の上層吸収体を下層吸収体の中央部に裁置して横断面凸状の構造のものが多かった。しかし、このような中央部が分厚い構造の吸収体は、着用者の動きに合わせて捩れにくく、排泄器官との間に隙間ができることがあった。また、尿取りパッドを併用すると、ますます嵩高くなり、着用者に不快なごわごわ感を与えることとなっていた。
【０００５】
上記問題を解決するため、本願出願人は、着用者の体型や動きに合わせて縒れ易く、別体の尿取りパッドを併用しても着用者にごわごわ感を与えずに漏れ防止効果を発揮することのできる簡単な構造の吸収用積層体および使い捨て吸収性物品を見出し、既に出願した（特許文献１）。
【特許文献１】特開２００３−７０８４２号公報
【発明の開示】
【発明が解決しようとする課題】
【０００６】
上記特許文献１に開示された吸収用積層体は、パルプ繊維中に高吸水性樹脂粉末が分散された上下２層の吸収ウエブ体が重ね合わせられることにより形成され、上層吸収ウエブ体には、下層吸収ウエブ体の配設位置に、下層吸収ウエブ体よりも小面積の開口部が少なくとも１つ配設されると共に、該開口部の周囲には、その他の部位に比べて高吸水性樹脂粉末の分散密度が高く設定されている。このように比較的大きな開口部を設けたため、吸収用積層体が縒れ易く、着用者の動きに追随して漏れを防止する。また、別体の尿取りパッドを重ねても股下部が嵩高くなるのを防ぐため、着用者にごわごわ感を与えない。さらに、開口部周囲の高吸水性樹脂粉末の分散密度を高めてあるので、漏れ防止効果を有効に発揮することができる。
【０００７】
しかし、より一層、吸収性能を高めるために、吸収体全体において高吸水性樹脂粉末の分散密度を大きくすると、開口部の周囲の高吸水性樹脂粉末の分散密度をさらに高める必要があり、その結果、開口部周辺において高吸水性樹脂同士がブロッキングを起こして吸水性能が充分発現しなかったり、パルプ繊維の相対量が少なくなって吸収ウエブ体が型くずれし易くなる、という問題があった。
【０００８】
そこで、本発明では、漏れ防止に効果的であり、型くずれしにくく、かつ、吸水性能が充分に発揮される吸収体を備えた使い捨て吸収性物品を提供することを課題とした。
【課題を解決するための手段】
【０００９】
上記課題を解決した本発明は、使い捨て吸収性物品に用いられる体液を吸収するための吸収用積層体であって、この吸収用積層体は、１０質量％以下の高吸水性樹脂粉末を含む繊維集合体から構成された上層吸収体と、２０質量％以上の高吸水性樹脂粉末を含む繊維集合体から構成された下層吸収体とを有し、上層吸収体には、上層吸収体の長手方向に連続的または不連続的に伸びる開口部が少なくとも１つ配設されているところに要旨を有する。
【００１０】
上記上層吸収体を構成する繊維集合体は高吸水性樹脂粉末を含まないものであることが好ましい。
【００１１】
上記上層吸収体の開口部の最大幅Ｗ１は、上層吸収体の最小幅Ｗ２の６０％以下であることが好ましい。また、この開口部が２個以上あり、上層吸収体の長手方向に沿った中心線に対し略左右対称に配設されていて、中心線上には繊維集合体が存在している構成を採ってもよい。また、いずれか一方の幅方向に沿った端縁側に偏って配設されていてもよい。上記上層吸収体と下層吸収体との間の少なくとも開口部の下側には、白色以外に着色された液透過性中間シートが配設されていると、開口部の位置が視認しやすくなるため、好ましい態様である。
【００１２】
本発明には、上記吸収用積層体を備える使い捨て吸収性物品も包含される。使い捨て吸収性物品には、例えば、使い捨ておむつ、使い捨てパンツ、失禁用パッド、生理用ナプキン、生理用ショーツ等が含まれる。
【発明の効果】
【００１３】
本発明の吸収用積層体は、上層吸収体中の高吸水性樹脂粉末を１０質量％以下にとどめつつ、下層吸収体中には２０質量％以上の高吸水性樹脂粉末を含ませているので、上層吸収体における高吸水性樹脂粉末同士のブロッキングを抑制しながら、充分な吸水量を確保できるようになった。また、液の逆戻りも少なくなる。さらに、上層吸収体には、保形性維持のために効果的である繊維が多く含まれているため、開口部があっても型くずれしにくくなった。特に、上層吸収体が細長い開口部を有している場合は、着用者の股部において内方へ力が加わって吸収体が縒れてしまう場合でも、開口部が閉じることで吸収用積層体に不規則なシワや凹凸が発生するのを防ぎ、吸収体上面を平らに維持することができる。これによって、吸収用積層体の型くずれを防ぐと共に、着用者股間部との密着性を高めて漏れ防止効果が向上する。一方、開口部が閉じていないときには吸収体の長手方向への体液の拡散を促すので、下層吸収体の吸収力が充分発現されることとなる。
【発明を実施するための最良の形態】
【００１４】
図１は、本発明の代表的な吸収用積層体を用いた使い捨ておむつの展開状態の一部切欠き正面図、図２は、図１のＸ−Ｘ線に相当する断面模式図である。この断面図においては、理解を容易にするため、各構成部品を離間させて示した。この使い捨ておむつ１は、基本的には、バックシート２、吸収用積層体３、バックシートよりも狭幅のトップシート４、および左右一対のサイドシート５とで構成されている。なお、Ｘ−Ｘ線は、幅方向に沿った中心線（長手方向中心線）、Ｙ−Ｙ線は、長手方向に沿った中心線（幅方向中心線）である。
【００１５】
バックシート２は、略砂時計形状の撥水性を有する合成繊維製不織布、ポリエチレン等の合成樹脂製フィルム（液不透過性でかつ通気性を有するフィルムが好ましい）あるいはこれらの積層体で構成され、前腹部Ｐと後背部Ｑとの間の股下部の両側には脚穴部Ｓが形成されている。手触り感を考慮すれば、あるいは機械式面ファスナをファスニングシステムに用いる場合は、最外層が不織布や織編物である積層体をバックシート２として用いることが好ましい。バックシート２は単なる矩形状であってもよい。不織布としては、ポリプロピレン、ポリエチレン、ポリエステル、ナイロン等の合繊繊維からなるもの、あるいは、ポリエステル／ポリエステル、ポリエステル／ポリエチレン、ポリプロピレン／ポリエチレン等の組合せによる複合繊維からなるものが利用可能である。不織布としては、スパンボンド法、エアースルー法、ポイントボンド法、メルトブロー法およびエアレイド法のうちの１つまたは複数の製法の組み合わせによる不織布が好ましい。中でも、スパンボンド法、あるいはスパンボンド法とメルトブロー法とを組み合わせたＳＭＳ法により製造された長繊維不織布が、強度の点から好ましい。最も好ましいのは、スパンボンド法により製造された長繊維不織布である。
【００１６】
バックシート４の前腹部Ｐと後背部Ｑの上面には、幅方向に伸長状態で複数本のウェスト用弾性糸６がそれぞれ添設されていると共に、両側の脚穴部Ｓの近傍には、バックシート２の上面に、長さ方向に伸長状態で複数本のレッグ用弾性糸７がそれぞれ添設されている。複数本の弾性糸に変えて、帯状の弾性フィルムやリボンを用いることも可能である。
【００１７】
また、バックシート２の前腹部Ｐの下面にはフロンタルテープ８が取付けられると共に、後背部Ｑの上面の両側には、使用時にフロンタルテープ８に貼付けて、使い捨ておむつを立体的に組み立てるためのファスニングテープ９がそれぞれ取付けられている。ファスニングシステムとしては、ファスニングテープ９に、摘み部１１とフック部材１０を取り付けると共に、バックシート２を前記した積層タイプにするか、バックシート２の少なくともフロンタルテープ８の部分を不織布等のループ部材とする機械式ファスニングシステムや、従来公知の粘着剤を用いたファスニングシステムが採用可能である。
【００１８】
トップシート４は、液透過性を有する合成繊維製不織布または織布で成形され、上記バックシート２よりも幅狭で同一長さの矩形状に形成されて、トップシート４の下面とバックシート２の上面とは、吸収用積層体３とウェスト用弾性糸６を介装した状態で接合される。不織布または織布としては、絹、レーヨン、パルプ等の親水性繊維や、前記例示した繊維または複合繊維を用いたもの等が好ましく使用でき、液透過性を高めるために繊維または不織布・織布に親水化処理を施してもよい。
【００１９】
左右一対のサイドシート５は、撥水性を有する合成繊維製不織布で構成され、上記バックシート２およびトップシート４とほぼ同じ長さを有し、トップシート４の外側縁の内側からバックシート２の側縁までを覆う幅を有すると共に、バックシート２と同形状の脚穴部Ｓが形成されている。各サイドシート５のトップシート４との重なり部はトップシート４に接合され、トップシート４よりも外に延出した外延部は、レッグ用弾性糸７を介装した状態でバックシート２に接合される。
【００２０】
また、各サイドシート５は、内側縁５ａが下向き内側に折り返されていて、折返し部の中には、サイドシート５のほぼ全長に亘って立体ギャザー用弾性糸１２が伸長状態で添設されている。なお、サイドシート５の内側縁５ａは、使い捨て吸収性物品１の前後端においてはトップシート４に接合され、立体ギャザー用弾性糸１２の収縮によって、内側縁５ａが吸収用積層体３の上層吸収体３１の左右上面を覆って立ち上がるように構成されている。
【００２１】
上記各弾性糸６，７，１２の収縮力でウェスト用ギャザー、レッグ用ギャザー、立体ギャザーが自然に形成され、着用時には、着用者のウェスト・レッグに密着すると共に、立体ギャザーが尿等の横漏れを防止する。
【００２２】
吸収用積層体３は、開口部３３を有する上層吸収体３１と、下層吸収体３２とから構成されている。上層吸収体３１は、上記バックシート２よりも一回り程度小さい略砂時計形状であり、下層吸収体３２は略長方形状の扁平体に成形されている。図例では、開口部３３は、吸収用積層体３の中心を通り、吸収用積層体の長手方向に伸びる略長方形状となっている。
【００２３】
図２には、使い捨ておむつ１のより詳細な断面模式図（Ｘ−Ｘ線相当）を示した。この例では、上層吸収体３１と下層吸収体３２との間には透液性の中間シート１３が介装されており、また上層吸収体３１とトップシート４の間にも上層シート１４が介装されている。一方、下層吸収体３２は、下層シート１５が下層吸収体３２の両側部からその上面まで巻き上げられて重ねられ、下層シート１５によって包まれた状態となっている。このように、上層吸収体３１を上層シート１４と液透過性中間シート１３とで挟み込むような構成を採ることで、上層吸収体３１は一層型くずれしにくい構造となる。また、下層吸収体３２も下層シート１５によって包まれているため型くずれしにくく、液透過性中間シート１３と上下層吸収体３１，３２いずれか一方または両方が、ホットメルト接着剤等で接合されていると、吸収用積層体３の強度がさらに向上するので、縒れても型くずれや破壊を起こすことがなくなる。
【００２４】
液透過性中間シート１３が、不織布等の色である白色以外に着色されていると、トップシート４や上層シート１４があっても、開口部３３の下の液透過性中間シート１３の色が上から視認可能となって、開口部３３の位置が着用者にわかるようになるため好ましい。開口部３３が視認可能となると、着用時に、着用者の股間部にあてがう際の目安となったり、使い捨て補助パッド等の他の吸収性物品を併用する際の位置決めの目安となり、着用者や介護者に対する利便性が向上する。液透過性中間シート１３の色は、赤、黄、茶以外の色が好ましく、例えば、薄緑色、薄青色等が好ましい。
【００２５】
液透過性中間シート１３，上下層シート１４，１５としては、ティッシュペーパー（薄葉紙）、透液性不織布等の親水性あるいは液透過性のシート材料が用いられる。液透過性中間シート１３には、目付１０〜３０ｇ／ｍ2程度の液透過性不織布（特にスパンボンド法によるポリプロピレン製不織布）が、上下層シート１４，１５としては、目付１０〜３０ｇ／ｍ2程度のティッシュペーパーが好適である。なお、この吸収用積層体３は、バックシート２の上面に下層吸収体３２を下にして接着される。
【００２６】
図３は、図１に示した使い捨て吸収性物品に使用されたものと同一形状の吸収用積層体３の平面図である。上層吸収体３１には開口部３３が配設されている。図１〜３においては、上層吸収体３１の略中央に、上層吸収体３１の長手方向に連続的に伸びる略矩形の開口部３３が配設されているが、もちろん図例には限定されない。開口部３３の最大幅Ｗ１は、上層吸収体３１の型くずれを防ぐ点からは、上層吸収体３１の最小幅Ｗ２の６０％以下とすることが好ましい。より好ましくは５０％以下、さらに好ましくは４０％以下である。
【００２７】
図４には、他の形状、位置関係を有する開口部が形成された上層吸収体の平面図を示した。図４（ａ）は、矩形の上層吸収体３１に、小さな長方形状の開口部３３ａが、上層吸収体３１の長手方向に不連続的に伸びる状態で配設されている例である。この開口部３３ａはＹ−Ｙ線に対し線対称に配設されており、Ｙ−Ｙ線上には繊維集合体が存在している。図４（ｂ）は、上層吸収体３１の長手方向に連続的に伸びた細長いリング状の開口部３３ｂが配設されている。この開口部３３ｂはＹ−Ｙ線に対し線対称となっており、Ｙ−Ｙ線上の少なくとも略中央部には繊維集合体が存在している。図４（ｃ）は、小さな三角形状の開口部３３ｃが上層吸収体３１の長手方向に不連続に伸びる状態で配設されている例である。この開口部３３ｃもＹ−Ｙ線に対し線対称に配設されており、Ｙ−Ｙ線上には繊維集合体が存在している。
【００２８】
図４に示した開口部３３ａ〜３３ｃは、上層吸収体３１の長手方向に伸びるものであるので、体液を長手方向に拡散させつつ下層吸収体３２へと吸収させる効果が高い。また、Ｙ−Ｙ線上に繊維集合体が存在していることで着用者の股間部への密着性が高まって、体液を速やかに吸収用積層体３に吸収させることができるため、漏れが効果的に防止される。また、これらの図に示した開口部は細長い形状を有しているため、着用者の股部において内方へ力が加わって吸収体が縒れてしまう場合でも、開口部が閉じることで吸収用積層体３に不規則なシワや凹凸が発生するのを防ぎ、上層吸収体３１の上面を平らに維持することができる。開口部を線対称に配設することで、上層吸収体３１の上面を平らに維持する効果が高まる。これによって、吸収用積層体３の型くずれを防ぐと共に、着用者股間部との密着性を高めて漏れ防止効果が一層向上する。
【００２９】
なお、図４に示した開口部３３ａ〜３３ｃの場合、開口部の最大幅Ｗ１は、Ｘ−Ｘ線に平行な１本の線が、上層吸収体３１の長手方向に伸びる開口部を切り取る最大長さとして定義される。よって、図４（ｂ）のように、上層吸収体３１の幅方向に伸びる開口部３３ｂ’がある場合は、Ｘ−Ｘ線の平行線がこの部分を通らないようにして最大幅Ｗ１を決める。図４（ａ）では、開口部の最大幅Ｗ１は長方形の開口部３３ａの短辺の長さの２倍となり、図４（ｂ）では、リング状の開口部３３ｂの溝幅の２倍となり、図４（ｃ）では、三角形の底辺の長さの２倍となる。なお、開口部の最大幅Ｗ１が、上層吸収体３１の最小幅Ｗ２の４０％以下となる限り、開口部の列は３列以上になってもよい。
【００３０】
上記上層吸収体３１は、１０質量％以下の高吸水性樹脂粉末を含む繊維集合体である。繊維としては主に解繊パルプ繊維やセルロース繊維が用いられるが、必要に応じて熱融着性繊維等を混合してもよい。上層吸収体３１では、繊維と高吸水性樹脂粉末との合計１００質量％中、高吸水性樹脂粉末は１０質量％以下（０質量％を含む）とする。１０質量％を超えると、高吸水性樹脂粉末同士がブロッキングを起こして吸水を阻害したり、保形性を高める作用を有するパルプ繊維量が不足して型くずれが起こりやすくなるため好ましくない。上層吸収体３１が全く高吸水性樹脂粉末を含まなくても構わない。高吸水性樹脂粉末を多く含む下層吸収体３２が積層されており、充分な吸水能力を発揮するからである。高吸水性樹脂粉末としては、この分野で通常使用されるポリアクリル酸（塩）系等が好ましい。
【００３１】
一方、下層吸収体３２は、２０質量％以上の高吸水性樹脂粉末を含む繊維集合体である。上述のように上層吸収体３１には高吸水性樹脂粉末を少量もしくは全く配合しないため、下層吸収体３２には高吸水性樹脂粉末を多く配合し、吸収用積層体３全体としての吸収能力を確保するのである。また、排泄液を高吸水性樹脂粉末に保持させることで、液の逆戻りを防ぐこともできる。しかし、あまり多く高吸水性樹脂粉末を配合すると、下層吸収体３２が堅くなるので、８０質量％以下が好ましく、６０質量％以下がさらに好ましい。
【００３２】
これまで図示した吸収用積層体３は、下層吸収体３２が上層吸収体３１よりも狭幅に形成されていて、上層吸収体３１の長手方向両端部が下層吸収体３２の長手方向両端部よりも外側に延出する構造のものである。もちろん、両吸収体３１・３２が同幅で上層吸収体３１の長手方向両端部と下層吸収体３２の長手方向両端部が揃っていてもよい。
【００３３】
図５には本発明の使い捨て吸収性物品の他の態様である使い捨てパンツ５０の展開図を、図６には、図５における使い捨てパンツ５０のＸ１−Ｘ１線断面図を示した。使い捨てパンツ５０は、前腹部Ｐ、後背部Ｑ、股部Ｒを有しており、股部Ｒには脚穴部Ｓが形成されている。使い捨てパンツ５０は、前腹部Ｐの左右の側縁部５１と、後背部Ｑの左右の側縁部５２とをそれぞれ接合することで、胴開口部と左右一対の脚穴部Ｓを有する使い捨てパンツとなる。この使い捨てパンツ５０は、基本的に、パンツの外形をなす外装部材５３（５４）の内面に、体液を収容し保持する本発明の吸収用積層体５５を含む吸収性本体を備えた構成となっている。着用者は、胴開口部から左右の脚開口部に向かって脚部を通して着用し、利用することができる。
【００３４】
使い捨てパンツ５０の胴開口部には、ウエスト用弾性糸５６が胴回り方向に伸張状態で添設されている。脚穴部Ｓには、脚穴周縁部にレッグ用弾性糸５７が伸張状態で添設されている。さらに胴開口部と脚穴部Ｓとの間の胴周囲部には、胴周囲部弾性糸５８が胴回り方向に伸張状態で添設されている。ウエスト用弾性糸５６、胴周囲部弾性糸５７、レッグ用弾性糸５８の収縮によって、使い捨てパンツ５０は着用者に好適にフィットする。
【００３５】
使い捨てパンツ５０の吸収用積層体５５は、液体透過性のトップシート５９と、液体不透過性のバックシート６０との間に、上層吸収体６１と下層吸収体６２とが挟まれて接合されている。この上層吸収体６１には、Ｙ１−Ｙ１線に対称に、上層吸収体６１の長手方向に伸びる細長い開口部６３が２箇所に配設されている。この開口部６３は、Ｘ１−Ｘ１線をまたぎ、前腹部Ｐの方向に偏よって配設されており、使い捨てパンツ５０の内側に向かって若干湾曲している。開口部６３を前腹部Ｐの方向に偏よって配設したため、股部Ｒから後背部Ｑにかけて吸収用積層体５５の面積を広く確保出来る。また、細長い開口部の効果は、前記した通りである。
【００３６】
この例では、バックシート６０は上層吸収体６１の上面にまで巻き上げられている。トップシート５９の左右の両側縁部には、サイドシート６４が、トップシート５９と巻き上げられたバックシート６０の上面とにそれぞれ接合されている。このサイドシート６４の側端には、立体ギャザー用弾性糸６５が伸長状態で添設されており、この弾性糸６５の収縮により、上方へ向かって起立する立体ギャザーが形成されて、尿等の体液の横漏れを防ぐことができる。
【００３７】
この例では、上層吸収体６１の上層シート６６は、上層吸収体６１の下側まで折り返されており、上層シート６６の折り返し面と上層吸収体６１の下側との間に、液透過性中間シート６７が配設されている。また、下層シート６８は、下層吸収体６２の両側部からその上面へ折り返されている。これらの構成部材は相互に、適宜ホットメルト接着剤で接着されている。各部材として利用可能な材料等は前記した吸収用積層体３の場合と同一である。
【００３８】
外装部材は２枚のシート５３、５４から構成され、その間に、前記したウエスト用弾性糸５６、胴周囲部弾性糸５７およびレッグ用弾性糸５８が伸長状態で接合される。外装部材を構成するシート５３，５４は、撥水性不織布または液体不透過性のプラスチックフィルムが利用出来るが、蒸れ防止のためには撥水性不織布が好ましい。
【００３９】
本発明で用いられる弾性糸には、通常、使い捨て吸収性物品に多用される弾性伸縮材料（ポリウレタン糸、天然ゴム等）が好適である。帯状のポリウレタンフィルムであってもよい。弾性糸は、伸張状態で、ホットメルト接着剤、熱接着、超音波接着等、好適な添設手段で添設される。好ましくは、繊度３００〜２０００デシテックスのポリウレタン糸を、倍率１．１〜５．０倍に伸張して添設する。添設手段としてはホットメルト接着剤を用いることが好ましい。
【００４０】
ホットメルト接着剤としては、スチレン系ブロックポリマーをベースポリマーとして含むＳＩＳ，ＳＢＳ等のスチレン系のホットメルト接着剤や、エチレン・プロピレンコポリマー等のアモルファスポリアルファオレフィン（ＡＰＡＯ）や通常のオレフィンをベースポリマーとして含むオレフィン系のホットメルト接着剤や、エチレン−酢酸ビニルコポリマー（ＥＶＡ）、ポリエステル、エチレン−酢酸ビニルコポリマーをベースポリマーとして含むものが使用可能である。中でも、スチレン系のホットメルト接着剤が好ましい、
塗工方法は接触型でも非接触型でもどちらでもよいが、非接触型（スパイラル塗工、メルトブロー塗工等）で微細な繊維を網状、螺旋状に渡航する方法が接着強度、柔らかさ、等のバランスから好適である。ホットメルト接着剤の塗工量としては、１〜１０ｇ／ｍ2 程度が好適である。
【産業上の利用可能性】
【００４１】
本発明の吸収用積層体は以上のように構成されており、上層吸収体における高吸水性樹脂粉末同士のブロッキングを抑制しながら、充分な吸水量を確保できるようになった。また、液の逆戻りも防止できる。さらに、上層吸収体には、保形性維持のために効果的である繊維が多く含まれているため、開口部があっても型くずれしにくくなった。
【００４２】
従って、使い捨てパンツ、使い捨ておむつ、尿取りパッド、生理用ナプキン、生理用ショーツ、軽失禁用ショーツ等の吸収体として、使い捨て吸収性物品に組み込んで使用することで、漏れ等の不都合のない安価な使い捨て吸収性物品を簡単に提供することができるようになった。なお、本発明の吸収用積層体は、使い捨て吸収性物品のみならず、農業用保水・吸水材、コンクリート養生マット、結露防止シート、湿布剤、貼付剤、化粧材等に使用することができる。
【図面の簡単な説明】
【００４３】
【図１】本発明の代表的な吸収用積層体を用いた使い捨ておむつの一部切欠き正面図である。
【図２】図１のＸ−Ｘ線に相当する断面模式図である。
【図３】本発明の代表的な吸収用積層体の平面図である。
【図４】（ａ）〜（ｃ）は、他の形状の開口部を有する上層吸収体の平面図である。
【図５】本発明の代表的な吸収用積層体を用いた使い捨てパンツの展開状態の平面図である。
【図６】図５のＸ１−Ｘ１線に相当する断面模式図である。
【符号の説明】
【００４４】
１  使い捨ておむつ
２、６０  バックシート
３、５５  吸収用積層体
４、５９  トップシート
５、６４  サイドシート
６、５６  ウェスト用弾性糸
７、５７  レッグ用弾性糸
８  フロンタルテープ
９  ファスニングテープ
１０  フック部材
１１  摘み部
１２、６５  立体ギャザー用弾性糸
１３、６７  液透過性中間シート
１４、６６  上層シート
１５  ６８下層シート
３１、６１  上層吸収体
３２、６２  下層吸収体
３３、３３ａ〜ｃ、６３  開口部
５０  使い捨てパンツ
５１  前腹部の側縁部
５２  後背部の側縁部
５３、５４  外装部材
５８  胴周囲用弾性糸
Ｐ  前腹部
Ｑ  後背部
Ｓ  脚穴部
Ｒ  股部
【図１】
2007202576.tif 000003
【図２】
2007202576.tif 000004
【図３】
2007202576.tif 000005
【図４】
2007202576.tif 000006
【図５】
2007202576.tif 000007
【図６】
2007202576.tif 000008